(57)【要約】【課題】柱筋に親綱フックを番線で固定しないこと、および親綱フックを人間の片手で簡単に取り付けられて、固定用ねじ部材が、緩んだ場合に前記金具本体を固定用ねじ部材で柱鉄筋に押し当てる力が弱くになり、柱鉄筋に沿って前記金具本体が下方へ下がってしまうことを課題とする。【解決手段】パイプ形状を成し内部に柱鉄筋を通せるための通路が形成されている金具本体と、前記通路内に通された柱鉄筋を前記通路の内壁に先端で押しあてることができるように前記金具本体の略中央部に螺着される固定用ねじ部材を具え、前記パイプ形状の頂部に固定物を取付て、前記パイプ形状の側方に一対のフック受けを設けたことを特徴とする親綱用金具。【選択図】図１
2015137462.tif 000002
【特許請求の範囲】
【請求項１】
柱鉄筋に親綱、親綱のフック、安全帯のフックを取付けることができるようにするための金具であって、
パイプ形状を成し内部に柱鉄筋を通せるための通路が形成されている金具本体と、
前記通路内に通された柱鉄筋を前記通路の内壁に先端で押しあてることができるように前記金具本体の略中央部に螺着される固定用ねじ部材を具え、
前記パイプ形状の頂部に固定物を取付て、
前記パイプ形状の側方に一対のフック受けを設けたことを特徴とする親綱用金具。
【請求項２】
柱鉄筋に親綱、親綱のフック、安全帯のフックを取付けることができるようにするための金具であって、
パイプ形状を成し内部に柱鉄筋を通せるための通路が形成されている金具本体と、
パイプ形状の略中央部に空洞を設けてあり、前記空洞部にバネハサミを柱筋に挟んで固定して、
前記パイプ形状の頂部に固定物を取付て、
前記パイプ形状の側方に一対のフック受けを設けたことを特徴とする親綱用金具。
【発明の詳細な説明】
【技術分野】
【０００１】
本発明は、建築作業所におけるＲＣ造の梁型枠設置作業、梁上作業、スラブ端部作業時の親綱設置するときに、柱筋に簡単かつ確実に親綱を設置できる金具を提供するものである。
【背景技術】
【０００２】
従来のＲＣ造の梁上作業、梁型枠作業時の親綱設置方法としては柱筋に親綱フックを番線固定する方法が多かった。
【０００３】
また、略Ｕ字形を成し彎曲部に柱鉄筋を貫通させるための貫通路が形成されている金具本体と、前記貫通路内に挿通された柱鉄筋を前記貫通路の内壁に先端で押し当てることができるよう前記金具本体の前記彎曲部に螺着される固定用ねじ部材とを備えたものが考えられている。（例えば、特許文献１参照）
【先行技術文献】
【特許文献】
【０００４】
【特許文献１】特開平１１−３０３４１２号公報
【発明の概要】
【発明が解決しようとする課題】
【０００５】
しかし、番線固定だと取付後にずれてしまったり、一度外すと復旧されないまま放置されてしまい、確実な安全施設として機能していない場合が多い。
【０００６】
また、親綱を賢結するための取付孔が、両側において接近し過ぎているため、親綱のフック等を簡単に取り付けることが困難である場合がある。
作業時において、人間の片手を道具などを持っている状態で、体の向きによっては、親綱のフックを取付孔に挿通することに難がある。
【０００７】
さらに、金具本体の彎曲部に螺着される固定用ねじ部材で柱鉄筋に押し当てて金具本体を柱鉄筋に固定している。
この場合、前記固定用ねじ部材が何かの事情により、緩んだ場合に前記金具本体を固定用ねじ部材で柱鉄筋に押し当てる力が弱くになり、柱鉄筋に沿って前記金具本体が下方へ下がってしまうことが考えられる。
【０００８】
本発明は、前記問題点を解決するためになされたものであって、
柱筋に親綱フックを番線で固定しないこと、および親綱フックを人間の片手で簡単に取り付けられて、固定用ねじ部材が、緩んだ場合に前記金具本体を固定用ねじ部材で柱鉄筋に押し当てる力が弱くになり、柱鉄筋に沿って前記金具本体が下方へ下がってしまうことを課題とする。
【課題を解決するための手段】
【０００９】
請求項１に記載の発明は、柱鉄筋に親綱、親綱のフック、安全帯のフックを取付けることができるようにするための金具であって、
パイプ形状を成し内部に柱鉄筋を通せるための通路が形成されている金具本体と、
前記通路内に通された柱鉄筋を前記通路の内壁に先端で押しあてることができるように前記金具本体の略中央部に螺着される固定用ねじ部材を具え、
前記パイプ形状の頂部に固定物を取付て、
前記パイプ形状の側方に一対のフック受けを設けたことを特徴とする親綱用金具。
【００１０】
請求項２に記載の発明は、柱鉄筋に親綱、親綱のフック、安全帯のフックを取付けることができるようにするための金具であって、
パイプ形状を成し内部に柱鉄筋を通せるための通路が形成されている金具本体と、
パイプ形状の略中央部に空洞を設けてあり、前記空洞部にバネハサミを柱筋に挟んで固定して、
前記パイプ形状の頂部に固定物を取付て、
前記パイプ形状の側方に一対のフック受けを設けたことを特徴とする親綱用金具。
【発明の効果】
【００１１】
本発明は、パイプ形状の頂部に固定物を取付けることで、前記固定用ねじ部材が何かの事情により、緩んだ場合に前記金具本体を固定用ねじ部材で柱鉄筋に押し当てる力が弱くになったとしても、前記固定物によって、柱鉄筋に当たることで、柱鉄筋に沿って前記金具本体が下方へ下がることがない。
【００１２】
また、パイプ形状の略中央部に空洞を設けてあり、前記空洞部にバネハサミを柱筋に挟んで固定することで、前記固定用ねじ部材のような緩むことがない。
さらに、フック受けを大きな楕円状にすることで、人間の片手で手軽にフック等を取付けることができる。
【図面の簡単な説明】
【００１３】
【図１】本発明の実施形態に係る親綱用鉄筋金具の実施例１の斜視図である。
【図２】本発明の実施形態に係る親綱用鉄筋金具の実施例１の横断面図である。
【図３】本発明の実施形態に係る親綱用鉄筋金具の実施例2の斜視図である。
【図４】本発明の実施形態に係る親綱用鉄筋金具の実施例2の平面図である。
【発明を実施するための形態】
【００１４】
本発明の実施形態に係る親綱用鉄筋金具について、図面を参照しながら説明する。
【００１５】
この第１実施の形態に係る親綱用鉄筋金具１は、図１および図２に示すように、パイプ形状2のものを柱筋3の頭部にかぶせて、固定用ねじ部材4（M12）を締めて柱筋3に固定する。
前記固定用ねじ部材4は、ラジェットレンチのサイズに合わせているので、締め付けるので容易であり、確実に固定できる。
【００１６】
また、固定用ねじ部材4位置もパイプ形状2の縦長さの略中間に位置しているので、柱筋3に固定しやすい。
さらに、パイプ形状2頂部に固定物5を固着しているので、仮に固定用ねじ部材4が緩んだとしても柱筋3の下部に下がることは無い。
【００１７】
第２実施の形態に係る親綱用鉄筋金具1は、図３および図４に示すように、パイプ形状2のものを柱筋3の頂部にかぶせて、パイプ形状2頂部に固定物5を固着していることから、そこで柱筋3頭部にかぶさる。
そして、パイプ形状2の略中間部分に空洞6を設けてあり、そこにバネハサミ4を柱筋3にはさんで固定することでパイプ形状2自体も固定される。
【符号の説明】
【００１８】
１  親綱用鉄筋金具
２  パイプ形状
３  柱筋
４  バネハサミ
５  固定物
６  空洞
【図１】
2015137462.tif 000003
【図２】
2015137462.tif 000004
【図３】
2015137462.tif 000005
【図４】
2015137462.tif 000006